(57)【特許請求の範囲】
【請求項１】
貨幣を入出金するための装置であって、
入金される貨幣を受け取るための入金受け取り手段と、
貨幣を出金用の貨幣として収納する第１の収納手段と、
貨幣を回収用の貨幣として収納する第２の収納手段と、
前記入金受け取り手段に入金される貨幣が新貨幣か旧貨幣かを識別するための識別手段であって、前記第１の収納手段に補充される貨幣が新貨幣か旧貨幣かも識別する前記識別手段と、
前記補充される新旧の貨幣中の新貨幣の割合を求め、前記求めた新貨幣の割合を、予め決められたしきい値と比較し、前記求めた新貨幣の割合が前記しきい値よりも小さい場合、前記入金貨幣中の旧貨幣を前記第１の収納手段に送るよう決定する第３の手段と、
を含む貨幣入出金装置。
【請求項２】
前記第３の手段は、前記求めた新貨幣の割合が前記しきい値よりも大きい場合、前記入金貨幣中の旧貨幣を前記第２の収納手段に送るよう決定することを特徴とする、請求項１記載の貨幣入出金装置。
【請求項３】
前記しきい値がしきい値設定手段から得られることを特徴とする、請求項１または２記載の貨幣入出金装置。
【請求項４】
貨幣を入出金するための装置であって、
入金される貨幣を受け取るための入金受け取り手段と、
貨幣を出金用の貨幣として収納する第１の収納手段と、
貨幣を回収用の貨幣として収納する第２の収納手段と、
前記入金受け取り手段に入金される貨幣が新貨幣か旧貨幣かを識別するための識別手段と、
前記入金される貨幣中の新貨幣の割合を求め、前記求めた新貨幣の割合を、予め決められたしきい値と比較し、前記求めた新貨幣の割合が前記しきい値よりも小さい場合、前記識別手段で識別された入金貨幣中の旧貨幣を前記第１の収納手段に送るよう決定する第３の手段と、
を含む貨幣入出金装置。
【請求項５】
前記第３の手段は、前記求めた新貨幣の割合が前記しきい値よりも大きい場合、前記入金貨幣中の旧貨幣を前記第２の収納手段に送るよう決定することを特徴とする、請求項４記載の貨幣入出金装置。
【発明の詳細な説明】
【０００１】
【発明の属する技術分野】
本発明は、貨幣を入出金するための装置、特にその装置に入金される新旧の貨幣を分別し回収するための装置に関する。なお、本明細書で使用する貨幣とは、特に指定しない限り、硬貨と紙幣の双方を意味する。また、貨幣を入出金するための装置とは、特に指定しない限り、現金自動預金支払機（ＡＴＭ）、両替機、自動販売機などを含む、全ての貨幣を入出金するための装置を意味する。
【０００２】
【従来の技術】
図１は従来の貨幣を入出金するための装置の構成を示した図である。図１の装置１０は、貨幣の入金口を有する入金手段１と、貨幣を識別するための識別手段２と、出金用貨幣の収納手段３、回収用貨幣の収納手段４、出金口を有する出金手段５からなる。識別手段２は、入金手段１が受け取った貨幣を識別し、その入金貨幣を回収用貨幣として収納手段４に送るか、あるいは回収用貨幣としての収納手段４に送るかを決定する。
【０００３】
図１の従来の装置では、通常、出金用貨幣の量が一定量以下とならないように、適時、貨幣を出金用の収納手段３に補充している。その貨幣の補充は、通常、金種ごとに必要量分だけ補充することによりおこなわれる。例えば、新しい貨幣が発行された場合に、その新しい貨幣のみを収納手段３に補充する場合がある。同時に、その補充にともなって、入金された特定の貨幣を装置１０から回収する必要がある。例えば、新しい貨幣の補充にともなって、その新しい貨幣と同一種類の旧い貨幣を回収する必要がある。
【０００４】
この貨幣の回収は、貨幣の市中での流通量を見ながらおこなう必要がある。例えば、新しい貨幣が発行された場合に、その新しい貨幣が市中に十分に出回る前に、同一種類の旧い貨幣がたくさん回収されてしまうと、市中でその貨幣が不足してしまう恐れがある。したがって、貨幣の回収は、市中の流通量や装置に補充される量を見ながら、適時かつ適量におこなう必要がある。
【０００５】
しかし、従来の装置１０では、入金された特定の貨幣を回収する場合において、識別手段２でその特定の貨幣が識別されると、補充する貨幣の種類および量に拘わらず、一律にその貨幣を回収用の収納手段４に送り回収していた。したがって、例えば、新しい貨幣が発行された場合に、その新しい貨幣が市中に十分に出回る前に、必要以上の同一種類の旧い貨幣を回収してしまうおそれがあった。
【０００６】
【発明が解決しようとする課題】
本発明の目的は、市中における貨幣の流通量に応じて、その貨幣の回収量を調整することができる、貨幣を入出金するための装置を提供することである。
【０００７】
本発明の目的は、補充される貨幣の種類あるいは量に応じて、その貨幣の回収量を調整することができる、貨幣を入出金するための装置を提供することである。
【０００８】
本発明の目的は、貨幣を入出力するための装置において、市中における貨幣の流通量に応じて、その貨幣の回収量を調整するすることができるように、その装置に入金された貨幣を分別し回収するための方法を提供することである。
【０００９】
本発明の目的は、貨幣を入出力するための装置において、補充された貨幣の種類あるいは量に応じて、その貨幣の回収量を調整するすることができるように、入金された貨幣を分別し回収するための方法を提供することである。
【００１０】
【課題を解決するための手段】
本発明によれば、貨幣を入出力するための装置であって、入金される貨幣を受け取るための手段と、貨幣を出金用の貨幣として収納する第１の収納手段と、貨幣を回収用の貨幣として収納する第２の収納手段と、前記受け取るための手段に入金される貨幣を識別するための識別手段と、前記識別手段によって識別された入金貨幣と前記第１の収納手段に補充される貨幣を比較し、その入金貨幣を前記２つの収納手段のいずれかに送るための第３の手段とを含む装置が提供される。
【００１１】
本発明によれば、貨幣を入出力するための装置において、入金された貨幣を分別し回収するための方法であって、（ａ）入金される貨幣を受け取るステップと、（ｂ）前記入金される貨幣を識別するステップと、（ｃ）前記識別された入金貨幣と出金用に前記装置に補充される貨幣を比較し、前記入金貨幣を出金するか回収するかを決定するステップとを含む方法が提供される。
【００１２】
【発明の実施の形態】
本発明の実施の形態について、図面を参照しながら詳しく説明する。図２は、本発明に係る貨幣を入出力するための装置の一実施例を示す図である。図２の装置２０は、入金受取り手段２１、識別手段２２、第３の手段２３、第１収納手段２４、第２収納手段２５、出力手段２６からなる。入金受取り手段２１は入金口を持ち、入金口に入金される貨幣を受け取り、次の識別手段２２に送る。識別手段２２は、入金受取り手段２１から受け取った入金貨幣の種類、偽貨幣の有無などを判別する。また、識別手段２２は、第１収納手段２４に補充される貨幣も識別できる。識別手段２２で識別された貨幣は、第３の手段２３に送られる。なお、図２では、識別手段２２と第３の手段２３は、別々に記載されているが、１つにまとめた構成とすることもできる。
【００１３】
第３の手段２３は、識別手段２２によって識別された入金貨幣と第１の収納手段に補充される貨幣を比較し、その入金貨幣を第１収納手段２４あるいは第２収納手段２５のいずれかに送る。第１収納手段２４は、貨幣を出金用の貨幣として収納する。第１収納手段２４は、貨幣を種類（金額：Ａ、Ｂ、．．．）ごとに分別して収納する。第１収納手段２４は、入金貨幣を収納するほかに、必要に応じて直接補充される貨幣も収納する。第１収納手段２４に収納された貨幣は出金用の貨幣として利用するために、出金口を持つ出金手段２６に送られる。第２収納手段２５は、貨幣を回収用の貨幣として収納する。第２収納手段２５に収納された貨幣は適時装置外へ回収される。
【００１４】
ここで、本発明の第３の手段２３についてさらに詳しく説明する。第３の手段２３は、図３に示されるように、識別された貨幣の種類を記憶する手段３１と、記憶手段に記憶された貨幣の種類を基に種類別の貨幣量を計数して、種類別の貨幣量の割合を求める計数手段３２と、識別された貨幣の種類、求められた貨幣量またはその割合を比較する手段３３を有する。記憶手段３１は、識別手段２２により判別された入金貨幣の種類と補充貨幣の種類を記憶する。比較する手段３３は、その入金貨幣の種類と補充貨幣の種類を比較し、その比較結果に応じて、入金貨幣を第１収納手段２４あるいは第２収納手段２５のいずれかに送る。なお、ここで言う貨幣の種類とは、貨幣の金額、新しく発行された「新」貨幣か旧い「旧」貨幣かなどを意味する。また、貨幣の種類の情報としては、予め既知な種類を用いるか、あるいは識別手段２２によって得られた種類を用いる。
【００１５】
ここで、ある特定の金額の新しく発行された「新」貨幣のみを第１の収納手段２４に補充する場合を想定する。記憶手段３１は、その「新」貨幣の情報（種類）を補充貨幣の種類として記憶する。比較手段３３は、識別手段２２によって識別された入金貨幣の種類と補充貨幣の種類を比較する。そして、比較手段３３は、入金貨幣の種類と補充貨幣の種類が一致する場合、すなわち入金貨幣が「新」貨幣である場合、入金貨幣を第１の収納手段２４に送る。そして、第１の収納手段２４に送られた入金貨幣（「新」貨幣）は、出金用貨幣として利用される。これに対して、比較手段３３での判断において、入金貨幣の種類が補充貨幣の種類と一致しない場合、すなわち入金貨幣が同一金額の「旧」貨幣である場合、その入金貨幣（「旧」貨幣）は、第２の収納手段２５に送られる。第２の収納手段２４に送られた入金貨幣（「旧」貨幣）は回収される。
【００１６】
この一連の動作により、本発明の装置２０は、新しく発行された「新貨」幣のみが補充される場合、装置２０に入金された貨幣の中から、その「新」貨幣と同一金額の「旧」貨幣のみを分別して回収することができる。
【００１７】
次に、ある特定の金額の「旧」い貨幣と新しく発行された「新貨」幣の双方を混在して、第１の収納手段２４に補充する場合を想定する。識別手段２２は、補充された貨幣の「新」あるいは「旧」を識別する。第３の手段２３中の記憶手段３１は、識別手段２２の識別結果を記憶する。計数手段３２は、記憶手段３１に記憶された貨幣の「新」あるいは「旧」の数量を計数し、その割合”ａ”（％）を求め、その結果を比較手段３３に送る。比較手段３３は、しきい値設定手段３４（図３）から、予め決められた「新」あるいは「旧」貨幣の割合”ｂ”（％）を「しきい値」として得る。比較手段３３は、計数手段３２から送られる補充貨幣中の「新」あるいは「旧」」貨幣の割合”ａ”（％）とその「しきい値」”ｂ”（％）を比較する。もし、補充貨幣中の「新」（「旧」）貨幣の割合”ａ”（％）が、「しきい値」”ｂ”（％）よりも大きい（小さい）場合、識別手段２２で識別された入金貨幣の中の「旧」貨幣は、第２の収納手段２５に送られて回収される。これに対して、もし、補充貨幣中の「新」（「旧」）貨幣の割合”ａ”（％）が、「しきい値」”ｂ”（％）よりも小さい(大きい）場合、識別手段２２で識別された入金貨幣の中の「旧」貨幣は、第１の収納手段２４に送られて出金用の貨幣となる。
【００１８】
この一連の動作により、本発明の装置２０は、補充された貨幣が「旧」貨幣と「新」貨幣の双方を含む場合、その補充貨幣の中の「新」（「旧」）貨幣の割合に応じて、「旧」貨幣の回収量を制御することができる。その結果、本発明の装置２０は、補充される貨幣の中の「新」貨幣の割合が少ないにも拘わらず、必要以上に「旧」貨幣を回収してしまうことを防ぐことができる。
【００１９】
さらに、入金貨幣の種類と量に応じて、入金貨幣を分別して回収する場合について説明する。いま、例えば、ある特定の金額の貨幣が新しく発行され、市中に出回りつつある場合を想定する。この場合、一般に市中に十分にその「新」貨幣が出回るまでには時間がかかる。装置２０に入金される貨幣の中の「新」貨幣の割合も、通常その「新」貨幣の発行から時間とともに徐々に増加していく傾向がある。したがって、装置２０に入金される貨幣の中の「新」貨幣の割合をモニターすることにより、市中におけるその「新」貨幣の流通状態を予測し、その予測を基づいて、回収する「旧」貨幣の量を調整することができる。
【００２０】
具体的には、識別手段２２は、入金された貨幣の「新」あるいは「旧」を識別する。第３の手段２３中の記憶手段３１は、識別手段２２の識別結果を記憶する。計数手段３２は、予め決められた一定期間（時間）に記憶手段３１に記憶された入金貨幣中の「新」あるいは「旧」貨幣の数量を計数し、その割合”ｃ”（％）を求め、その結果を比較手段３３に送る。比較手段３３には、しきい値設定手段３４（図３）から、予め決められた「新」あるいは「旧」貨幣の割合”ｄ”（％）が「しきい値」として与えられる。比較手段３３は、計数手段３２から送られる入金貨幣中の「新」（「旧」）貨幣の割合”ｃ”（％）とその「しきい値」”ｄ”（％）を比較する。もし、入金貨幣中の「新」（「旧」）貨幣の割合”ｃ”（％）が、「しきい値」”ｄ”（％）よりも大きい（小さい）場合、識別手段２２で識別された入金貨幣の中の「旧」貨幣は、第２の収納手段２５に送られて回収される。これに対して、もし、入金貨幣中の「新」（「旧」）貨幣の割合”ｃ”（％）が、「しきい値」”ｄ”（％）よりも小さい（大きい）場合、識別手段２２で識別された入金貨幣の中の「旧」貨幣は、第１の収納手段２４に送られて出金用の貨幣となる。
【００２１】
この一連の動作により、本発明の装置２０は、入金貨幣の中の「新」（「旧」）貨幣の割合に応じて、「旧」貨幣の回収量を制御することができる。その結果、本発明の装置２０は、市中での「新」貨幣の流通状態を予測しながら、「旧」貨幣の回収をおこなうことができるので、流通量が少ないにも拘わらず、必要以上に「旧」貨幣を回収してしまうことを防ぐことができる。
【図面の簡単な説明】
【図１】  従来の貨幣を入出金するための装置の構成を示した図である。。
【図２】  本発明の貨幣を入出金するための装置の構成の一実施例を示す図である。
【図３】  図２の本発明の装置中の第３の手段の構成の一実施例を示す図である。
【符号の説明】
１、２１：入金手段
２、２２：識別手段
３、２４：出金用貨幣の収納手段
４、２５：回収用貨幣の収納手段
５、２６：出金手段
１０、２０：貨幣を入出力するための装置
２３：第３の手段
３１：記憶手段
３２：計数手段
３３：比較手段
【図１】
0003842085.tif 000002
【図２】
0003842085.tif 000003
【図３】
0003842085.tif 000004